【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
折り曲げ及び切り取りのうち少なくとも一方によって加工される被記録媒体に対して記録を行うための記録データを生成する画像処理装置のコンピュータに、
折り曲げ線及び切り取り線のうち少なくとも一方に基づいて、前記記録データを、前記記録データの中心を含む中心領域及び、前記中心領域の外周に位置する複数の外周領域を含む複数の領域に区域化する区域化ステップと、
前記中心領域に、印刷対象の画像データを配置する第１配置ステップと、
前記複数の外周領域のうちいずれかに、記録情報を配置する第２配置ステップと、
前記複数の外周領域のうちいずれかに前記記録情報が配置される場合、前記記録情報が配置される領域の位置に基づいて、前記配置される前記記録情報の向きを制御する制御ステップ、と、
を実行させ、
前記複数の外周領域のうち第１の位置の領域に配置される前記記録情報の向きと、前記複数の外周領域のうち第２の位置の領域に配置される前記記録情報の向きとが異なるように制御されることを特徴とするプログラム。
【請求項２】
前記記録情報が、前記複数の外周領域のうち配置対象となる領域内に収まるように配置されることを特徴とする請求項１に記載のプログラム。
【請求項３】
前記複数の外周領域のうち配置対象となる領域に対応する前記記録情報のサイズが、所定のサイズ以上である場合、前記配置対象となる領域に前記記録情報が配置され、
前記配置対象となる領域に対応する前記記録情報のサイズが、前記所定のサイズより小さい場合、前記複数の外周領域のうち前記配置対象となる領域以外の他の領域に前記記録情報が配置されることを特徴とする請求項１又は２に記載のプログラム。
【請求項４】
前記記録情報の種類に応じて、前記配置対象となる領域が異なり、
前記記録情報の種類に応じて、前記他の領域が異なることを特徴とする請求項３に記載のプログラム。
【請求項５】
前記複数の外周領域のうち配置対象となる領域に、第１の種類の前記記録情報と第２の種類の前記記録情報の両方が収まらない場合、前記配置対象となる領域に前記第１の種類の前記記録情報が収まるように配置され、前記複数の外周領域のうち前記配置対象となる領域と異なる領域に前記第２の種類の前記記録情報が収まるように配置されることを特徴とする請求項１〜４のいずれか１項に記載のプログラム。
【請求項６】
前記第１の種類の前記記録情報は、前記画像データの撮影情報に関する情報であり、
前記第２の種類の前記記録情報は、前記画像データの印刷設定情報に関する情報であることを特徴とする請求項１〜５のいずれか１項に記載のプログラム。
【請求項７】
前記第１の位置の領域は、前記中心領域の外周且つ前記中心領域の上部に位置する領域であり、
前記第１の位置の領域に配置される前記記録情報の向きは、上向きであることを特徴とする請求項１〜６のいずれか１項に記載のプログラム。
【請求項８】
前記第２の位置の領域は、前記中心領域の外周且つ前記中心の領域の下部に位置する領域であり、
前記第２の位置の領域に配置される前記記録情報の向きは、下向きであることを特徴とする請求項１〜７のいずれか１項に記載のプログラム。
【請求項９】
前記記録情報は、テキスト情報及び符号化コードのうち少なくとも一方であることを特徴とする請求項１〜８のいずれか１項に記載のプログラム。
【請求項１０】
前記記録情報が配置された前記記録データを、印刷装置に送信する送信ステップをさらに有することを特徴とする請求項１に記載のプログラム。
【請求項１１】
折り曲げ及び切り取りのうち少なくとも一方によって加工される被記録媒体に対して記録を行うための記録データを生成する画像処理装置のコンピュータに、
折り曲げ線及び切り取り線のうち少なくとも一方によって、前記記録データを複数の領域に区域化するステップと、
前記複数の領域のいずれかに記録情報が配置される場合、前記配置される前記記録情報の種類に応じて、前記配置される前記記録情報の向きを制御する制御ステップ、と、
を実行させ、
前記複数の領域のいずれかに配置される第１の種類の前記記録情報の向きと、前記複数の領域のいずれかに配置される第２の種類の前記記録情報の向きとが異なるように制御されることを特徴とするプログラム。
【請求項１２】
前記記録情報が、前記複数の領域のうち配置対象となる領域内に収まるように配置されることを特徴とする請求項１１に記載のプログラム。
【請求項１３】
前記複数の領域のうち配置対象となる領域に対応する前記記録情報のサイズが、所定のサイズ以上である場合、前記配置対象となる領域に前記記録情報が配置され、
前記配置対象となる領域に対応する前記記録情報のサイズが、前記所定のサイズより小さい場合、前記配置対象となる領域以外の他の領域に前記記録情報が配置されることを特徴とする請求項１１又は１２に記載のプログラム。
【請求項１４】
前記記録情報の種類に応じて、前記配置対象となる領域が異なり、
前記記録情報の種類に応じて、前記他の領域が異なることを特徴とする請求項１３に記載のプログラム。
【請求項１５】
前記複数の領域のうち配置対象となる領域に、所定の種類の前記記録情報と特定の種類の前記記録情報の両方が収まらない場合、前記配置対象となる領域に前記所定の種類の前記記録情報が収まるように配置され、前記複数の領域のうち前記配置対象となる領域と異なる領域に前記特定の種類の前記記録情報が収まるように配置されることを特徴とする請求項１１〜１４のいずれか１項に記載のプログラム。
【請求項１６】
前記複数の領域のうち中心の領域に、印刷対象の画像データが配置され、
前記第１の種類の前記記録情報は、前記中心の領域の外周部且つ前記中心の領域の上部に位置する領域に配置され、
前記中心の領域の外周部且つ前記中心の領域の上部に位置する領域に配置される前記第１の種類の前記記録情報の向きは、上向きであることを特徴とする請求項１１〜１５のいずれか１項に記載のプログラム。
【請求項１７】
前記複数の領域のうち中心の領域に、印刷対象の画像データが配置され、
前記第２の種類の前記記録情報は、前記中心の領域の外周部且つ前記中心の領域の下部に位置する領域に配置され、
前記中心の領域の外周部且つ前記中心の領域の下部に位置する領域に配置される前記第２の種類の前記記録情報の向きは、下向きであることを特徴とする請求項１１〜１６のいずれか１項に記載のプログラム。
【請求項１８】
前記複数の領域のうち中心の領域に、印刷対象の画像データが配置され、
前記第１の種類の前記記録情報は、前記記録データのヘッダ情報であり、
前記第２の種類の前記記録情報は、前記画像データの撮影情報に関する情報及び前記画像データの印刷設定情報に関する情報のうち少なくとも１つであることを特徴とする請求項１１〜１７のいずれか１項に記載のプログラム。
【請求項１９】
前記記録情報は、テキスト情報及び符号化コードのうち少なくとも一方であることを特徴とする請求項１１〜１８のいずれか１項に記載のプログラム。
【請求項２０】
前記記録情報が配置された前記記録データを、印刷装置に送信する送信ステップをさらに有することを特徴とする請求項１９に記載のプログラム。
【請求項２１】
折り曲げ及び切り取りのうち少なくとも一方によって加工される被記録媒体に対して記録を行うための記録データを生成する画像処理装置の制御方法であって、
折り曲げ線及び切り取り線のうち少なくとも一方に基づいて、前記記録データを、前記記録データの中心を含む中心領域及び、前記中心領域の外周に位置する複数の外周領域を含む複数の領域に区域化する区域化ステップと、
前記中心領域に、印刷対象の画像データを配置する第１配置ステップと、
前記複数の外周領域のうちいずれかに、記録情報を配置する第２配置ステップと、
前記複数の外周領域のうちいずれかに前記記録情報が配置される場合、前記記録情報が配置される領域の位置に基づいて、前記配置される前記記録情報の向きを制御する制御ステップと、
を有し、
前記複数の外周領域のうち第１の位置の領域に配置される前記記録情報の向きと、前記複数の外周領域のうち第２の位置の領域に配置される前記記録情報の向きとが異なるように制御されることを特徴とする制御方法。
【請求項２２】
折り曲げ及び切り取りのうち少なくとも一方によって加工される被記録媒体に対して記録を行うための記録データを生成する画像処理装置の制御方法であって、
折り曲げ線及び切り取り線のうち少なくとも一方によって、前記記録データを複数の領域に区域化する区域化ステップと、
前記複数の領域のいずれかに記録情報が配置される場合、前記配置される前記記録情報の種類に応じて、前記配置される前記記録情報の向きを制御する制御ステップと、
を有し、
前記複数の領域のいずれかに配置される第１の種類の前記記録情報の向きと、前記複数の領域のいずれかに配置される第２の種類の前記記録情報の向きとが異なるように制御されることを特徴とする制御方法。
【請求項２３】
折り曲げ及び切り取りのうち少なくとも一方によって加工される被記録媒体に対して記録を行うための記録データを生成する画像処理装置であって、
折り曲げ線及び切り取り線のうち少なくとも一方に基づいて、前記記録データを、前記記録データの中心を含む中心領域及び、前記中心領域の外周に位置する複数の外周領域を含む複数の領域に区域化する区域化手段と、
前記中心領域に、印刷対象の画像データを配置する第１配置手段プと、
前記複数の外周領域のうちいずれかに、記録情報を配置する第２配置手段と、
前記複数の外周領域のうちいずれかに前記記録情報が配置される場合、前記記録情報が配置される領域の位置に基づいて、前記配置される前記記録情報の向きを制御する制御手段と、
を有し、
前記複数の外周領域のうち第１の位置の領域に配置される前記記録情報の向きと、前記複数の外周領域のうち第２の位置の領域に配置される前記記録情報の向きとが異なるように制御されることを特徴とする画像処理装置。
【請求項２４】
折り曲げ及び切り取りのうち少なくとも一方によって加工される被記録媒体に対して記録を行うための記録データを生成する画像処理装置であって、
折り曲げ線及び切り取り線のうち少なくとも一方によって、前記記録データを複数の領域に区域化する区域手段と、
前記複数の領域のいずれかに記録情報が配置される場合、前記配置される前記記録情報の種類に応じて、前記配置される前記記録情報の向きを制御する制御手段と、
を有し、
前記複数の領域のいずれかに配置される第１の種類の前記記録情報の向きと、前記複数の領域のいずれかに配置される第２の種類の前記記録情報の向きとが異なるように制御されることを特徴とする画像処理装置。
【手続補正２】
【補正対象書類名】明細書
【補正対象項目名】発明の名称
【補正方法】変更
【補正の内容】
【発明の名称】プログラム、画像処理装置、及び制御方法
【手続補正３】
【補正対象書類名】明細書
【補正対象項目名】０００６
【補正方法】変更
【補正の内容】
【０００６】
本発明のプログラムは、折り曲げ及び切り取りのうち少なくとも一方によって加工される被記録媒体に対して記録を行うための記録データを生成する画像処理装置のコンピュータに、
折り曲げ線及び切り取り線のうち少なくとも一方に基づいて、前記記録データを、前記記録データの中心を含む中心領域及び、前記中心領域の外周に位置する複数の外周領域を含む複数の領域に区域化する区域化ステップと、
前記中心領域に、印刷対象の画像データを配置する第１配置ステップと、
前記複数の外周領域のうちいずれかに、記録情報を配置する第２配置ステップと、
前記複数の外周領域のうちいずれかに前記記録情報が配置される場合、前記記録情報が配置される領域の位置に基づいて、前記配置される前記記録情報の向きを制御する制御ステップ、と、
を実行させ、
前記複数の外周領域のうち第１の位置の領域に配置される前記記録情報の向きと、前記複数の外周領域のうち第２の位置の領域に配置される前記記録情報の向きとが異なるように制御されることを特徴とする。
また本発明の別のプログラムは、折り曲げ及び切り取りのうち少なくとも一方によって加工される被記録媒体に対して記録を行うための記録データを生成する画像処理装置のコンピュータに、
折り曲げ線及び切り取り線のうち少なくとも一方によって、前記記録データを複数の領域に区域化するステップと、
前記複数の領域のいずれかに記録情報が配置される場合、前記配置される前記記録情報の種類に応じて、前記配置される前記記録情報の向きを制御する制御ステップ、と、
を実行させ、
前記複数の領域のいずれかに配置される第１の種類の前記記録情報の向きと、前記複数の領域のいずれかに配置される第２の種類の前記記録情報の向きとが異なるように制御されることを特徴とする。